(57)【要約】【課題】建具枠調整部材の建具枠への取り付けに伴う手間を削減する。【解決手段】建具枠２０に形成される貫通孔２１ｂに螺入された状態で、留付け具４０を介して開口下地１５に回転可能に留め付けられる建具枠調整部材５０であって、建具枠２０に螺合する雄ねじ部５５を外周に有する筒状部５１と、筒状部５１の内側に設けられて留付け具４０を受ける台座部５２とを備え、且つ、雄ねじ部５５の後端側となる筒状部５１の一方の端部に設けられて建具枠２０への螺入時に締め込み工具に係合する螺入時係合部５４と、雄ねじ部５５の後端側となる筒状部５１の一方の端部、又は雄ねじ部５５の先端側となる筒状部５１の他方の端部に設けられると共に、開口下地１５に対する建具枠２０の位置調整時に締め込み工具に係合する位置調整時係合部５３と、を備えている。【選択図】図４
2012057293.tif 000002
【特許請求の範囲】
【請求項１】
建具枠に形成される貫通孔に螺入された状態で、留付け具を介して開口下地に回転可能に留め付けられる建具枠調整部材であって、
前記建具枠の貫通孔に螺合する雄ねじ部を外周に有する筒状部と、
該筒状部の内側に設けられて前記留付け具を受ける台座部と、
前記雄ねじ部の後端側となる筒状部の一方の端部に設けられて前記建具枠への螺入時に締め込み工具に係合する螺入時係合部と、
前記雄ねじ部の後端側となる筒状部の前記一方の端部に設けられると共に、前記開口下地に対する前記建具枠の位置調整時に締め込み工具に係合する位置調整時係合部と、
を備えることを特徴とする建具枠調整部材。
【請求項２】
建具枠に形成される貫通孔に螺入された状態で、留付け具を介して開口下地に回転可能に留め付けられる建具枠調整部材であって、
前記建具枠の貫通孔に螺合する雄ねじ部を外周に有する筒状部と、
該筒状部の内側に設けられて前記留付け具を受ける台座部と、
前記雄ねじ部の後端側となる筒状部の一方の端部に設けられて前記建具枠への螺入時に締め込み工具に係合する螺入時係合部と、
前記雄ねじ部の先端側となる筒状部の他方の端部に設けられると共に、前記開口下地に対する前記建具枠の位置調整時に締め込み工具に係合する位置調整時係合部と、
を備えることを特徴とする建具枠調整部材。
【請求項３】
前記台座部は、前記筒状部の軸線方向の中途部に形成されている
ことを特徴とする請求項１又は２のいずれかに記載の建具枠調整部材。
【請求項４】
前記螺入時係合部は、前記筒状部の一方の端部の内周に形成されている
ことを特徴とする請求項１乃至３のいずれかに記載の建具枠調整部材。
【請求項５】
前記螺入時係合部は、前記筒状部の一方の端部の外周に形成されている
ことを特徴とする請求項１乃至３のいずれかに記載の建具枠調整部材。
【請求項６】
前記螺入時係合部には、前記建具枠と前記開口下地との間の間隔を当該建具枠の幅方向で等しく保つ間隔保持部材を取り付ける取付部が前記筒状部の回転を許容した状態で形成されていることを特徴とする請求項２乃至請求項５のいずれかに記載の建具枠調整部材。
【請求項７】
壁の開口の小口部に設けられる開口下地と、
該開口下地に対向した状態で設置される建具枠と、
該建具枠に形成される貫通孔に螺入される建具枠調整部材と、
該建具枠調整部材に挿通された状態で前記建具枠を前記開口下地に留め付ける留付け具と、を備え、
前記建具枠調整部材は、
前記建具枠の貫通孔に螺合する雄ねじ部を外周に有する筒状部と、
該筒状部の内側に設けられて前記留付け具を受ける台座部と、
前記雄ねじ部の後端側となる前記筒状部の一方の端部に設けられて前記建具枠への螺入時に締め込み工具に係合する螺入時係合部と、
前記雄ねじ部の後端側となる前記筒状部の前記一方の端部、又は前記筒状部の他方の端部に設けられると共に、前記開口下地に対する前記建具枠の位置調整時に締め込み工具に係合する位置調整時係合部と、
を備え、且つ、
前記留付け具を介して前記開口下地に回転自在に留め付けられている
ことを特徴とする建具枠調整構造。
【発明の詳細な説明】
【技術分野】
【０００１】
本発明は、建具枠を開口下地に留め付けた後に当該建具枠の開口下地に対する姿勢を調整可能とする建具枠調整部材及び建具枠調整構造に関する。
【背景技術】
【０００２】
従来、壁に開設されて扉や引き戸等の建具が設置される開口に建具枠を設ける場合、当該開口の周縁部の小口部に開口下地を設け、当該開口下地に仕上げとしての建具枠を取り付ける施工が一般的である。詳述すると、建具枠を開口下地の前に置き、該開口下地と建具枠との間に複数の隙間調整材を挟み込み、建具枠が真っ直ぐに立っているのを確認した上で、建具枠の上から隙間調整材を通して木ねじ等の留付け具を開口下地に打ち込んで建具枠を固定する方法が行われていた。
【０００３】
かかる固定方法においては、隙間調整材を適切な厚みに揃えるのに大変手間がかかってしまう。詳述すると、隙間調整材を仮付けした状態で建具枠を設置し、目測や、さげ振り、レーザー光を使った測定等で当該建具枠の垂直度を確認し、垂直度に問題がある場合には隙間調整材を適切な厚みに調整し直して、再度、建具枠を仮付けして垂直度を確認する、といった作業を建具枠の垂直度が所望の状態となるまで繰り返し行う必要があり、その後に固定作業に入ることとなるので、かかる建具枠の垂直度の調整に著しく手間が掛かってしまうという問題があった。
【０００４】
かかる問題を解決すべく、特許文献１には、固定用ねじ部材と、中心に固定用ねじ部材が挿通する穴を有する平らな座金と、外面に雄ねじを設け、該筒状体の一端は閉塞され、中心に上記固定用ねじ部材が挿通する穴を有し、他端に六角穴を形成した調整筒よりなる建具枠の固定構造が開示され、建具枠に調整筒を螺着し、次に、調整筒の先端に座金を介して固定用ねじ部材を、調整筒内より開口下地に締め付け固定する建具枠の設置方法が開示されている。
【先行技術文献】
【特許文献】
【０００５】
【特許文献１】特開平０９−１１２１３５号公報
【発明の概要】
【発明が解決しようとする課題】
【０００６】
しかしながら、上記特許文献１に開示の固定具にあっては、建具枠に雌ねじ部が予め形成され、当該雌ねじ部に手動で調整筒の雄ねじ部を螺合させる構造であるため、調整筒を建具枠に取り付ける作業は簡易である一方、予め建具枠に雌ねじ部を螺刻する必要が生じ、かかる作業を行う手間が発生してしまうという問題を新たに招来する。かかる点に鑑み、当該調整筒に螺嵌する外筒部材を建具枠に螺入させておく構成が考えられるが、そうすると、今度は部材点数が増加してコストが増大してしまうという問題を生じる。（また、現場にて当該固定構造により局所的に建具枠の垂直度を調整したい場合であっても、雌ねじ部を現場で形成しなければならないため、実質的にはかかる対応を現場でとることができないという問題もある。）
【０００７】
そこで本発明は、このような問題を解決するためになされたものであり、建具枠調整部材の建具枠への取り付けに伴う手間を削減することができる建具枠調整部材及び建具枠調整構造を提供することを目的とする。
【課題を解決するための手段】
【０００８】
上記課題を解決すべく、本発明の第１の具体的構成は、建具枠に形成される貫通孔に螺入された状態で、留付け具を介して開口下地に回転可能に留め付けられる建具枠調整部材であって、建具枠の貫通孔に螺合する雄ねじ部を外周に有する筒状部と、該筒状部の内側に設けられて留付け具を受ける台座部とを有し、且つ、雄ねじ部の後端側となる筒状部の一方の端部に設けられて建具枠への螺入時に締め込み工具に係合する螺入時係合部と、雄ねじ部の後端側となる筒状部の一方の端部に設けられると共に、開口下地に対する建具枠の位置調整時に締め込み工具に係合する位置調整時係合部と、を備えることを特徴とする。
【０００９】
これによれば、建具枠に上記の建具枠調整部材を取り付ける際には、建具枠の表面から調整部材を螺入することができる。この際、上記の螺入時係合部に締め込み工具を係合させ、この状態で建具枠調整部材を建具枠に捩じ込んでいく。このように、当該螺入時係合部に締め込み工具を確実に係合させることができるので、締め込み工具によるトルクを建具枠調整部材に効率よく伝達することができ、これによって、確実に建具枠の貫通孔に建具枠調整部材を螺入することができるものとなっている。また、当該建具枠の貫通孔に建具枠調整部材の雄ねじ部が捩じ込まれることにより、建具枠の貫通孔の内周壁には、雌ねじ部が螺刻されるものとなる。このように、本発明においては、所定のトルクを付与しつつ建具枠調整部材を建具枠に螺入していくことができ、また、該螺入に伴って建具枠の貫通孔に雌ねじ部を螺刻することができるものとなっているのである。
【００１０】
その後、建具枠の表面側から貫通孔に向けて留付け具を挿通することにより、当該留付け具は建具枠調整部材の筒状部内を通過することとなり、先端部が筒状部の他方の端部から突出すると共に、頭部が台座部に係合する。この状態で留付け具の先端部が開口下地に螺合又は鋲着等されて留め付けられることにより、建具枠調整部材は開口下地に回転自在に留め付けられると同時に、当該留付け具及び建具枠調整部材を介して建具枠は開口下地に留め付けられることとなる。
【００１１】
この後、建具枠の垂直度の調整を要する場合には、建具枠調整部材の位置調整時係合部に締め込み工具を係合させ、この状態で当該締め込み工具を介して建具枠調整部材にトルクを付与する。これにより、建具枠調整部材は留付け具を軸心として建具枠及び開口下地に対して相対回転する。ここで、当該建具枠調整部材は留付け具を介して開口下地に留め付けられているため、建具枠調整部材はその場で回転する一方、建具枠調整部材の雄ねじ部に貫通孔の雌ねじ部が噛合していることで当該建具枠調整部材に螺着状態である建具枠は、建具枠調整部材の回転に伴って開口下地に対して出退することとなり、これによって、当該建具枠と開口下地との間の間隔が調整され、ひいては、建具枠の垂直度が調整されることとなる。
【００１２】
尚、雄ねじ部の後端側となる筒状部の一方の端部に設けるに当たり、位置調整時係合部を独立部位とせず、螺入時係合部にその機能を兼ねさせておくと、調整部材の加工数が減少してコスト低減にも繋がり、合理的である。しかしながら、螺入時と調整時で使用工具を区別したい時等は、互いに近接してサイズ又は設置位置が互いに異なる位置調整時係合部と螺入時係合部を同じ筒状部の一方の端部の中で別個に設けることもできる。
【００１３】
また、本発明の第２の具体的構成は、建具枠に形成される貫通孔に螺入された状態で、留付け具を介して開口下地に回転可能に留め付けられる建具枠調整部材であって、建具枠の貫通孔に螺合する雄ねじ部を外周に有する筒状部と、該筒状部の内側に設けられて留付け具を受ける台座部と、雄ねじ部の後端側となる筒状部の一方の端部に設けられて建具枠への螺入時に締め込み工具に係合する螺入時係合部と、雄ねじ部の先端側となる筒状部の他方の端部に設けられると共に、開口下地に対する建具枠の位置調整時に締め込み工具に係合する位置調整時係合部と、を備えることを特徴とする。
【００１４】
これによれば、建具枠に上記の建具枠調整部材を取り付ける際、建具枠の裏面、即ち、開口下地に対向する側の面から建具枠調整部材を螺入させる。この際、上記の螺入時係合部に締め込み工具を係合させ、この状態で建具枠調整部材を建具枠に捩じ込んでいく。このように、当該螺入時係合部に締め込み工具を確実に係合させることができるので、締め込み工具によるトルクを建具枠調整部材に効率よく伝達することができ、これによって、確実に建具枠の貫通孔に建具枠調整部材を螺入することができるものとなっている。また、当該建具枠の貫通孔に建具枠調整部材の雄ねじ部が捩じ込まれることにより、建具枠の貫通孔の内周壁には、雌ねじ部が螺刻されるものとなる。このように、本発明においては、所定のトルクを付与しつつ建具枠調整部材を建具枠に螺入していくことができ、また、該螺入に伴って建具枠の貫通孔に雌ねじ部を螺刻することができるものとなっているのである。
【００１５】
その後、建具枠の表面側から貫通孔に向けて留付け具を挿通することにより、当該留付け具は建具枠調整部材の筒状部内を通過することとなり、先端部が筒状部の一方の端部から突出すると共に、頭部が台座部に係合する。この状態で留付け具の先端部が開口下地に螺合又は鋲着等されて留め付けられることにより、建具枠調整部材は開口下地に回転自在に留め付けられると同時に、当該留付け具及び建具枠調整部材を介して建具枠は開口下地に留め付けられることとなる。
【００１６】
この後、建具枠の垂直度の調整を要する場合には、建具枠調整部材の位置調整時係合部に締め込み工具を係合させ、この状態で当該締め込み工具を介して建具枠調整部材にトルクを付与する。これにより、建具枠調整部材は留付け具を軸心として建具枠及び開口下地に対して相対回転する。ここで、当該建具枠調整部材は留付け具を介して開口下地に留め付けられているため、建具枠調整部材はその場で回転する一方、建具枠調整部材の雄ねじ部に貫通孔の雌ねじ部が噛合していることで当該建具枠調整部材に螺着状態である建具枠は、建具枠調整部材の回転に伴って開口下地に対して出退することとなり、これによって、当該建具枠と開口下地との間の間隔が調整され、ひいては、建具枠の垂直度が調整されることとなる。
【００１７】
また、台座部は、筒状部の軸線方向の中途部に形成されていることが好ましい。例えば、上記本発明の第２の具体的構成にて台座部が筒状の一方の端部に設けられていると、台座部が開口下地に接触することになる。これに対し、上記構成に係る建具枠調整部材は、螺入時係合部のみが開口下地に接触することとなるので、留付け具を開口下地に留め付けることによる建具枠調整部材と開口下地との間の接触圧は台座部から螺入時係合部に伝達され、当該螺入時係合部でのみ作用することとなる。これによって、建具枠調整部材の回転時に当該建具枠調整部材と開口下地との間で発生する摩擦抵抗は、螺入時係合部と開口下地の間でのみ発生することとなり、これによって、良好に建具枠調整部材を回転させることができるものとなっている。
【００１８】
更に通孔を有する台座を筒状部の長さ方向の略中央部に施しておくと、建具枠調整部材に方向性が無くなり、向きを気にしなくても施工できるので、より一層施工性が向上する。
【００１９】
また、螺入時係合部は、筒状部の一方の端部の内周に形成されていることが好ましい。これによれば、筒状部の内側に螺入時係合部を設けることができるので、当該筒状部の他方の端部から一方の端部に亘る全体を建具枠に螺入させることができ、建具枠の裏面からの当該筒状部の突出量を見込むことなく建具枠と開口下地との間隔の調整をすることができ、より開口下地に建具枠を近接させることができるものとなる。
【００２０】
また、螺入時係合部は、筒状部の一方の端部の外周に形成されていることが好ましい。これによれば、当該筒状部の外周側から螺入時係合部を締め込み工具により把持することができるので、より過大な荷重を付与して確実に建具枠調整部材を建具枠に螺入することができる。
【００２１】
また、螺入時係合部には、建具枠と開口下地との間の間隔を当該建具枠の幅方向で等しく保つ間隔保持部材を取り付ける取付部が筒状部の回転を許容した状態で形成されていることが好ましい。これによれば、当該取付部を介して間隔保持部材を建具枠調整部材に留め付けることができるので、当該間隔保持部材を建具枠に鋲着等する必要がなくなり、部品点数削減及び施工性の向上を図ることができる。
【００２２】
また、上記課題を解決すべく、本発明に係る建具枠調整構造は、壁の開口の小口部に設けられる開口下地と、該開口下地に取り付けられる建具枠と、該建具枠に形成される貫通孔に螺入される建具枠調整部材と、該建具枠調整部材に挿通された状態で建具枠を開口下地に留め付ける留付け具と、を備え、建具枠調整部材は、建具枠に螺合する雄ねじ部を外周に有する筒状部と、該筒状部の内側に設けられて留付け具を受ける台座部と、雄ねじ部の後端側となる筒状部の一方の端部に設けられて建具枠への螺入時に締め込み工具に係合する螺入時係合部と、雄ねじ部の後端側となる筒状部の一方の端部、又は筒状部の他方の端部に設けられると共に、開口下地に対する建具枠の位置調整時に締め込み工具に係合する位置調整時係合部と、を備え、且つ、留付け具を介して開口下地に回転自在に留め付けられていることを特徴としている。
【００２３】
これによれば、建具枠調整部材を螺入時係合部に締め込み工具を係合させることで建具枠に貫入させ、かかる作業に伴って建具枠の貫通孔に雌ねじ部を形成することができる。また、建具枠の垂直度の調整時には調整時係合部に締め込み工具を係合させた状態で当該建具枠調整部材を回転させることで、当該建具枠側の貫通孔に形成された雌ねじ部と建具枠調整部材側の雄ねじ部の噛合状態により当該建具枠が建具枠調整部材に対し相対的に出退し、ひいては、開口下地に対し出退することができるものとなっている。
【発明の効果】
【００２４】
本発明によれば、建具枠調整部材の建具枠への取り付けに伴う手間を削減することができる。
【図面の簡単な説明】
【００２５】
【図１】本発明の第１の実施形態に係る建具枠調整部材が適用可能な建具が取り付けられる建物の壁の開口及びその周囲を示す斜視図である。
【図２】壁の開口の正面図である。
【図３】第１実施形態に係る建具枠調整部材を含む建具枠調整構造の断面図である。
【図４】本発明の第２実施形態に係る建具枠調整部材を示す図である。
【図５】第２実施形態に係る建具枠調整部材の取り付け手順を示す説明図である。
【図６】第２実施形態において建具枠を調整する方法を示す説明図である。
【図７】本発明の第３の実施形態に係る建具枠調整部材を含む建具枠調整構造の断面図である。
【図８】本発明の第４の実施形態に係る建具枠調整部材の斜視図である。
【発明を実施するための形態】
【００２６】
以下、図面を参照しつつ、本発明に係る建具枠調整部材及び建具枠調整構造の実施形態について詳細に説明する。なお、図面の説明において同一の要素には同一の符号を付し、重複する説明を省略する。
【００２７】
図１、図２に示す如く、建物の内部空間には、床１１と、天井１２と、当該床１１から天井１２まで延在して居室間又は居室と廊下とを区画する間仕切壁１４とが設けられ、該間仕切壁１４には、居住者が該間仕切壁１４により区画される居室間又は居室と廊下との間を行き来可能とするための開口１０が形成されている。
【００２８】
また、該開口１０の側縁部と上縁部を形成する間仕切壁１４の小口部には、長尺状の開口下地１５が設けられており、該開口下地１５には、仕上げ材としての横建具枠（竪枠）２０、上建具枠（鴨居）２１が設けられている。また、該開口１０の下縁部を形成する部材として床下地上に建具枠（敷居）２２が敷設されている。各建具枠２０、２１、２２の端部はそれぞれ隣り合う建具枠２０、２１、２２の端部に接続されている。なお、該開口１０には、建具枠２０、２１、２２の内側に嵌め込まれて当該開口１０を開閉する一対の引戸や扉（いずれも図示省略）等が設けられる。
【００２９】
図２に示す如く、間仕切壁１４に対応して設けられる建具枠のうち、横建具枠２０と上建具枠２１はそれぞれ、複数の建具枠調整部材５０を介して開口下地１５に留め付けられている。当該複数の建具枠調整部材５０を介して建具枠２０、２１を開口下地１５に留め付けることにより、これら建具枠２０、２１を開口下地１５に取り付けた状態で当該建具枠２０、２１の姿勢を調整することができる。なお、建具枠調整部材５０は、本発明の第１実施形態を例示するものであるが、建具枠調整部材５０に代えて、後述の第２〜第４実施形態に係る建具枠調整部材５０Ａ〜５０Ｄを用いることもできる。
【００３０】
以下、横建具枠２０の開口下地１５への取付けについて説明することとし、上建具枠２１については、開口下地１５及び横建具枠２０の向きが異なるだけで取付け方自体は横建具枠２０のものと変わりがないのでその説明を省略する。
【００３１】
図６に示す如く、横建具枠２０は、木材により形成されており、幅方向の端部には、開口下地１５の側部を覆う重ね代部２１ａが裏面に凸突状に設けられている。また、横建具枠２０には、長手方向に所定間隔で貫通孔２１ｂが設けられている。該貫通孔２１ｂは、当該横建具枠２０を建具枠調整部材５０と共に開口下地１５に留め付ける留付け具４０を挿通させるものであって、当該建具枠調整部材５０を収容すべく、当該建具枠調整部材５０の直径と同径若しくは僅かに小さい径で形成されている。当該留付け具４０は、頭部４１と、雄ねじ部４３を軸部４２の先端に有するビス（図５（ｂ）参照）である。
【００３２】
なお、留付け具４０として、開口下地１５へのセルフタップが可能な木ねじ又は開口下地１５が金属下地である場合にあってはセルフタッピングネジ（セルフドリリングネジ）を用いることが好ましい。また、開口下地１５に予め雌ねじ部を形成しておくのであれば、これら締結具としてビスを採用することも可能である。
【００３３】
（第１の実施形態）
本発明の建具枠調整部材の第１の実施形態について説明する。図３に示す如く、建具枠調整部材５０は、横建具枠（以下、単に建具枠という）２０に螺合する雄ねじ部５５を外周に有する筒状部５１を備えると共に、該筒状部５１の内側に設けられて留付け具４０を受ける台座部５２を有し、且つ、図３のように雄ねじ部５５の後端側となる筒状部５１の他方の端部に設けられる位置調整時係合部５３を有するもので、独立した別途螺入時係合部５４は有しないが、位置調整時係合部５３が螺入時係合部５４の機能も兼ね備えるものである。勿論、位置調整時係合部５３が設けられる端部に、これと近接して別途螺入時係合部５４を設けても構わない。また、貫通孔２１ｂにおいて、建具枠２０の表面側の開口部には、蓋体１００を被せる。なお、図３に示す間隔保持部材６０は、第３の実施形態において後述する。
【００３４】
このように独立した螺入時係合部５４を省略し、螺入時係合部５４の機能を位置調整時係合部５３に兼備させた場合、若しくは、これと近接して別途螺入時係合部５４をそれと同じ側の端部に設けた場合は、建具枠２０の表面側から建具枠調整部材５０を挿入する場合に適し、上記と同様、位置調整時係合部５３、またはそれと近接して別途螺入時係合部５４を設けた場合はその螺入時係合部５４に六角レンチ７０等を填めて建具枠調整部材５０を廻して装着し、その深さの調整は位置調整時係合部５３に六角レンチ７０等を填めて廻すことにより行える。この際、螺入時係合部５４に位置調整時係合部５３の機能を兼備させるのが合理的である。
【００３５】
（第２の実施形態）
本発明の建具枠調整部材の第２の実施形態について説明する。図４（ａ）〜図４（ｃ）に示す如く、本実施形態の建具枠調整部材５０Ａは、横建具枠（以下、単に建具枠という）２０に螺合する雄ねじ部５５を外周に有する筒状部５１を備えると共に、該筒状部５１の内側に設けられて留付け具４０を受ける台座部５２と、雄ねじ部５５の先端側となる筒状部５１の他方の端部に設けられる位置調整時係合部５３と、雄ねじ部５５の後端側となる筒状部５１の一方の端部に設けられる螺入時係合部５４とを備えている。
【００３６】
筒状部５１は、建具枠２０の厚さと同程度かやや小さい程度の高さを有する円筒状に形成されており、外周面には、他方の端部を先端部として雄ねじ部５５が螺刻されている。この雄ねじ部５５はボルトであっても良いが、木ねじのようなセルフタッピングねじである方が好ましい。
【００３７】
台座部５２は、筒状部５１の内周面の一部を留付け具４０の軸部４２を挿通可能な程度に縮径して形成されており、これによって、台座部５２を通過する通孔５６が形成される。これによって、当該留付け具４０は、頭部４１を台座部５２の上面に当接させた状態で軸部４２が通孔５６を通過するものとなる（図６参照）。
【００３８】
位置調整時係合部５３は、開口下地１５に対する建具枠２０の位置を調整する位置調整時に締め込み工具に係合するものであって、雄ねじ部５５の先端側となる筒状部５１の他方の端部に形成されている。本実施形態においては、当該筒状部５１の他方の端部の内周面を締め込み工具たる六角レンチに外嵌する六角形に形成して構成されている。なお、該位置調整時係合部５３の形状は六角形以外に、三角形や八角形等の他の形状であっても構わない。
【００３９】
螺入時係合部５４は、建具枠２０に当該建具枠調整部材５０Ａを取り付ける螺入時に締め込み工具に係合するものであって、位置調整時係合部５３とは反対側であって雄ねじ部５５の後端側となる筒状部５１の一方の端部に形成されている。本実施形態においては、当該筒状部５１の一方の端部の内周面を締め込み工具たる六角レンチ７０（図５（ａ）参照）に外嵌する六角形に形成して構成されている。
【００４０】
また、筒状部５１の軸心と、通孔５６の軸心と、位置調整時係合部５３に係合させた六角レンチの回転中心と、螺入時係合部５４に係合させた六角レンチの回転中心とは一致しており、これによって、建具枠調整部材５０Ａは、いずれの係合部５３、５４に回転力を付与したとしても筒状部５１の軸心廻りに回転することとなる。
【００４１】
本実施形態の建具枠調整部材５０Ａの取り付け方法及び当該建具枠調整部材５０Ａを用いた建具枠２０の調整方法について、図５（ａ），図５（ｂ），図６を用いて以下に説明する。図５（ａ）に示す如く、先ず、建具枠２０の裏面側から当該建具枠２０に形成される貫通孔２１ｂに向けて建具枠調整部材５０Ａを螺入していく。当該螺入時においては、建具枠調整部材５０Ａの螺入時係合部５４に六角レンチ７０の先端部を係合させ、当該六角レンチ７０を介して建具枠調整部材５０Ａに回転力（トルク）を付与していく。
【００４２】
当該螺入時係合部５４は、筒状部５１に形成される雄ねじ部５５の後端側に形成されるので、当該回転力を付与されることにより、建具枠調整部材５０Ａは貫通孔２１ｂ内を建具枠２０の表面に向けて前進していく。また、当該貫通孔２１ｂは建具枠調整部材５０Ａの外径と同径もしくは小さい径で形成されているので、当該建具枠調整部材５０Ａの螺入に伴って、貫通孔２１ｂの周面に雌ねじ部２１ｃ（図６参照）が螺刻（タップ形成）されていくものとなる。
【００４３】
当該捩じ込み作業により、建具枠２０に建具枠調整部材５０Ａの全体若しくは略全体を没入させて、当該作業を完了する（図５（ｂ）参照）。なお、当該作業完了時には、貫通孔２１ｂの建具枠２０の裏面側に建具枠調整部材５０Ａの位置調整時係合部５３を露出させておくか、少なくとも当該貫通孔２１ｂを介して位置調整時係合部５３に六角レンチを係合可能な状態とする。
【００４４】
次に、図５（ｂ）に示す如く、建具枠２０の表側から貫通孔２１ｂに向けて留付け具４０を挿入する。当該貫通孔２１ｂには、上記螺入作業によって既に建具枠調整部材５０Ａが取り付けられているので、当該留付け具４０は、建具枠調整部材５０Ａに挿通されることとなる。
【００４５】
そして、留付け具４０の先端部は、建具枠調整部材５０Ａ内部の通孔５６を通過して建具枠２０の裏面より突出する。当該先端部の雄ねじ部４３を開口下地１５に向けて締め込んでいくことにより、当該建具枠調整部材５０Ａを介して建具枠２０は開口下地１５に留め付けられることとなる（図６参照）。
【００４６】
また、当該締め込み作業においては、筒状部５１の内周面に台座部５２が設けられているので、留付け具４０は、頭部４１が台座部５２の上面に当接する位置まで達すると、以後の挿入は妨げられこととなる。かかる位置まで留付け具４０を捩じ込み、建具枠調整部材５０Ａを介しての開口下地１５への建具枠２０の取り付けを完了する。
【００４７】
その後、建具枠２０の姿勢を調整する場合には、建具枠２０の表側から貫通孔２１ｂに向けて六角レンチ（７０）を挿入し、当該六角レンチの先端を建具枠調整部材５０Ａの位置調整時係合部５３に係合させる。その後、六角レンチに回転力を付与する。
【００４８】
これにより、図６に示す如く、建具枠調整部材５０Ａは、留付け具４０の軸心廻りにその場で空転することとなるが、筒状部５１の雄ねじ部５５と、当該雄ねじ部５５により螺刻された建具枠２０の貫通孔２１ｂの内周壁の雌ねじ部２１ｃとが噛み合っている状態であるので、これによって、当該建具枠調整部材５０Ａの空転に伴って相対的に建具枠２０が開口下地１５に対して出退することとなる。また、建具枠２０の裏面は開口下地１５の表面に対して近接離間することとなり、これらの間隔が拡縮することとなる。
【００４９】
このような間隔調整を各建具枠調整部材５０Ａに対して行うことにより、建具枠２０の開口下地１５に対する姿勢が調整され、開口下地１５の姿勢に拘わらず、建具枠２０を鉛直とすることが可能となるのである。位置調整後、必要に応じて貫通孔２１ｂに戸当たり等の蓋体１００Ａを被せ、建具枠の取付けを完了する。
【００５０】
本実施形態によれば、建具枠２０に建具枠調整部材５０Ａを螺入させる際には、螺入時係合部５４に六角レンチ７０を係合させた状態で建具枠調整部材５０Ａを建具枠２０に捩じ込んでいく。建具枠２０の貫通孔２１ｂの内周面には、当初雌ねじ部２１ｃが螺刻されておらず、当該貫通孔２１ｂに建具枠調整部材５０Ａを螺入していくには大きなトルクを建具枠調整部材５０Ａに付与する必要があるが、本実施形態では螺入時係合部５４に六角レンチ７０を確実に係合させることができるので、建具枠２０の貫通孔２１ｂに建具枠調整部材５０Ａを良好に螺入することができるものとなっている。また、かかる作業に伴って、建具枠２０の貫通孔２１ｂの内壁に雌ねじ部２１ｃを螺刻することができ、建具枠調整部材５０Ａを収容する側に雌ねじ部２１ｃを予め形成する必要が無く、作業の効率化も図られる。或いは、雌ねじ部２１ｃを内周に備えた円筒部材等を建具枠２０に埋設する必要も無く、部品点数の削減も図られているのである。
【００５１】
また、螺入時係合部５４は、筒状部５１の一方の端部の内周に形成されているので、これによって、建具枠調整部材５０Ａ全体を建具枠２０に没入させることが可能となる。建具枠２０の裏面からの当該筒状部５１の突出量を見込むことなく建具枠２０と開口下地１５との間隔の調整をすることができ、より開口下地１５に建具枠２０を近接させることができるものとなる。
【００５２】
また、台座部５２は、筒状部５１の軸線方向の中途部に形成されており、開口下地１５には、螺入時係合部５４の縁部のみが接触することとなるので、当該建具枠調整部材５０Ａを空転させる場合の建具枠調整部材５０Ａと開口下地１５の接触部分が可及的小さなものととなり、これらの間での摩擦力の発生を減じて円滑に当該建具枠調整部材５０Ａを回転させることができるものとなっている。
【００５３】
（第３実施形態）
次に、第３の実施形態について説明する。なお、本実施形態における建具枠調整部材５０Ｂ（図７参照）は、筒状部５１の一方の端部に設けられる螺入時係合部５４ａと転び止めの構成は第２実施形態と異なるものの、その他の構成は第２実施形態と同じであるので、当該螺入時係合部５４ａ及び転び止めについて説明することとし、その他の構成は第２実施形態と同じ符号を付してその説明を省略する。
【００５４】
本実施形態における建具枠調整部材５０Ｂの螺入時係合部５４ａは、図７に示す如く、筒状部５１の一方の端部の外周に形成されている。より詳細には、螺入時係合部５４ａは、当該筒状部５１の一方の端部の外周面を締め込み工具たるメガネレンチに内嵌し、或いはスパナに把持される六角形に形成して構成されている。
【００５５】
また、本実施形態において、建具枠調整部材５０Ｂは、開口下地１５と建具枠２０の間に設けられて当該建具枠２０の転び止めとして機能する間隔保持部材６０を取り付け可能となっている。
【００５６】
例えば開度が制限されていない（ドアストッパーや戸当たりが併設されていない）扉が建具枠２０に枢支され、当該扉を全開したようなときには、開口下地１５や建具枠２０の長尺方向の軸或いは鉛直軸回りの回転力が当該建具枠２０に作用しやすく、これによって建具枠２０が開口下地１５に対し軸廻りに姿勢を変更させた状態となってしまうことが考えられる。また、開口に引戸を設ける場合には、当該引戸の戸先が建具枠２０の枠幅に対し偏心した状態で当該建具枠２０に当たることとなり、これによって、建具枠２０に戸先の衝突に伴うモーメントが作用して、上記と同様に建具枠２０が開口下地１５に対し軸廻りに姿勢を変更させた状態となってしまうことが考えられる。
【００５７】
当該軸廻りの建具枠２０の姿勢変更を転びというが、これに対し、本実施形態では、建具枠２０と開口下地１５との間に、これら建具枠２０と開口下地１５との間の間隔を当該建具枠２０の幅方向で等しくする間隔保持部材６０を設けることで、当該建具枠２０の転びを防止することとしている。
【００５８】
間隔保持部材６０は、長尺状の板バネを建具枠２０の幅方向両端部の重ね代部２１ａ間の間隔よりも僅かに小さい長さまで屈曲形成したものであって、長手方向中央部に建具枠調整部材５０Ｂに係合する被係合部たるフック部６１を備えると共に、当該フック部６１から両端部に向けて谷状に屈曲形成されて、開口下地１５に当接する下地側当接部６２と、建具枠２０に当接する建具側当接部６３とを備えている。
【００５９】
フック部６１は、建具枠調整部材５０Ｂの螺入時係合部５４ａとなる筒状部５１の一方の端部の内周壁に当接する一対の脚部６５と、各脚部６５の先端から突出する爪部６４とを備えている。
【００６０】
また、建具枠調整部材５０Ｂにおいて、螺入時係合部５４ａの内周部には、間隔保持部材６０を取り付ける取付部が設けられている。本実施形態においては、当該取付部として、間隔保持部材６０のフック部６１の一対の爪部６４に係合する凹溝５７が内周壁を周回して無端状に設けて形成されており、これによって、本実施形態の建具枠調整部材５０Ｂは、間隔保持部材６０が取り付けられる場合であっても、当該間隔保持部材６０を伴うことなく単独で回転することができる。建具枠調整部材５０Ｂを回転させて建具枠２０を位置調整した後、必要に応じて貫通孔２１ｂに戸当たり等の蓋体１００Ｂを被せ、建具枠の取付けを完了する。
【００６１】
本実施形態の構成は以上であって、上記第２実施形態と同様の方法で取り付け及び位置調整が可能となるが、事前に間隔保持部材６０のフック部６１を建具枠調整部材５０Ｂの取付部（凹溝５７）に係合させて当該建具枠調整部材５０Ｂに間隔保持部材６０を取り付けておく。
【００６２】
また、間隔保持部材６０は、長手方向を開口下地１５の幅方向に一致させた状態で、且つ、開口下地１５に下地側当接部６２を当接させ、建具枠２０に建具側当接部６３を当接させた状態で開口下地１５と建具枠２０によって挟み込むことが好ましい。
【００６３】
本実施形態によれば、螺入時係合部５４ａをスパナ等の締め込み工具により強固に把持することができるので、建具枠調整部材５０Ｂにより過大なトルクを付与した状態で建具枠２０に螺入することが可能となっている。
【００６４】
また、間隔保持部材６０により建具枠調整部材５０Ｂ及び建具枠２０の転びが抑制されることとなるので、建具枠２０の開口下地１５への取り付け時はもちろん、取り付け後であっても建具枠２０の転びが防止されることとなる。また、当該間隔保持部材６０によって建具枠調整部材５０Ｂの姿勢も安定することとなるので、位置調整時等に不測の方向から過大な荷重が作用したとしても、当該荷重は間隔保持部材６０のバネ性により吸収され、建具枠調整部材５０Ｂの軸心を開口下地１５の表面に対し垂直にすることが可能となっている。
【００６５】
また、間隔保持部材６０は建具枠調整部材５０Ｂに取り付けられることとなるが、当該間隔保持部材６０のフック部６１の爪部６４は、螺入時係合部５４ａの凹溝５７内を移動自在として当該凹溝５７に収容されるため、間隔保持部材６０に対して建具枠調整部材５０Ｂは相対回転することができ、これによって、位置調整時に建具枠調整部材５０Ｂを回転させたとしても、間隔保持部材６０まで回転してしまうことが防止される。
【００６６】
（第４実施形態）
次に、第４の実施形態について説明する。なお、本実施形態における建具枠調整部材５０Ｃ，５０Ｄ（図８（ａ）、（ｂ））は、筒状部５１の両端部の係合部の構成が上記第２実施形態と異なるものの、その他の構成は第２実施形態と同じであるので、両端の係合部について説明することとし、その他の構成は第２実施形態と同じ符号を付してその説明を省略する。
【００６７】
本実施形態における建具枠調整部材５０Ｃの係合部５３ｂ，５４ｂ、及び建具枠調整部材５０Ｄの係合部５３ｃ，５４ｃは、それぞれ上下同じ形状を呈しており、特に位置調整時係合部５３ｂ，５３ｃが筒状部５１の雄ねじ部５５の外径から縮径されて形成されている。
【００６８】
図８（ａ）に示す建具枠調整部材５０Ｃはその一例であって、筒状部５１の両端の係合部５３ｂ，５４ｂは、筒状部５１の雄ねじ部５５に対してその軸方向に延長されて形成され、且つ、雄ねじ部５５よりも縮径された円筒部５３ｍ，５４ｍと、円筒部５３ｍ，５４ｍの端縁に夫々形成された切欠部５３ｋ，５４ｋとを有する。切欠部５３ｋ，５４ｋは、マイナスドライバ状の締め込み工具７１の係止先端に係合可能となる切欠部が夫々形成されている。また、図８（ｂ）に示す建具枠調整部材５０Ｄは他の一例であって、袋レンチ状に形成される締め込み工具７２に係合可能とすべく、筒状部５１の両端部をやや肉薄（雄ねじ部５５に対して縮径）として軸方向に延在させ、各端部の外周に六角形その他の異形の係合部５３ｃ，５４ｃが形成されている。かかる構成であっても、いずれの係合部５３ｂ，５４ｂ及び係合部５３ｃ，５４ｃも筒状部５１の雄ねじ部５５の外形より縮径されて形成されていることはもちろんである。また、本実施形態において、通孔５６は、上記第２実施形態と同様に筒状部５１の長さ方向の略中央部に設けられている（図４参照）。これにより、建具枠調整部材５０Ｃ，５０Ｄとして方向性がなくなり、使い勝手が向上するものとなる。
【００６９】
本実施形態によれば、建具枠調整部材５０Ｃ，５０Ｄを建具枠２０の表裏の何れからでも螺入できるものとなる。これにより、建具枠２０を開口下地１５に対向させて設置させた後に建具枠調整部材５０Ｃ，５０Ｄを当該建具枠２０の貫通孔２１ｂに向けて螺入する施工を行うことが可能となる。また、不測の事態で建具枠２０の取付け固定後に当該建具枠２０内に収容された状態の建具枠調整部材５０Ｃ，５０Ｄを取り外す必要が生じた場合でも、留付け具４０を開口下地１５から離脱させた後、位置調整時係合部５３ｂ，５３ｃに図８の如き締め込み工具７１，７２を係合させ且つ回転させることにより、建具枠２０に対し建具枠調整部材５０Ｃ，５０Ｄを相対的に回転させ、最終的には当該建具枠２０から取り外すことができるものとなる。したがって、本実施形態によれば、建具枠調整部材５０Ｃ，５０Ｄを建具枠２０の表裏の何れからでも係脱することができるものとなる。具体的には、予め開口下地１５への仮止めの前、後、何れでも可能となり、施工手順や時間的な制約が排除されるものとなる。
【００７０】
本発明は上述の各実施形態に限定されるものではない。例えば、筒状部５１は、円筒状を呈しているが、雄ねじ部５５の先端部から後端部或いは後端部に至る中途部に向けて徐々に外径を大とする錐体状を呈する構成であっても、本実施形態と同様の効果を奏する。また、位置調整時係合部５３は、当該位置調整時のみに使用を限定されるものではなく、例えば建具枠２０の表側から貫通孔２１ｂに締め込み工具を挿入等することで当該建具枠２０に建具枠調整部材５０を螺入する時にも当然に用いることができる。同様に、螺入時係合部５４は、当該螺入時のみに使用を限定されるものではなく、開口下地１５に取付け前の建具枠２０に対する螺入状態を調整する時にも当然に用いることができる。
【００７１】
また、第３の実施形態において、間隔保持部材６０の被取付部を建具枠調整部材５０Ａの一方の端部たる螺入時係合部５４ａの外径に等しい直径を有する孔とし、当該孔に螺入時係合部５４ａを挿入する構成を採用することも可能である。なお、この場合、螺入時係合部５４ａは筒状体の一方の端部の内周に形成されているものとする。
【００７２】
また、間隔保持部材６０と建具枠調整部材５０Ａを建具枠２０の裏面に長手方向に交互に取り付ける構成を採用することも可能である。
【００７３】
また、第４の実施形態において、建具枠調整部材５０Ｃにおける筒状部５１の両端の係合部５３ｂ，５４ｂ、及び建具枠調整部材５０Ｄにおける筒状部５１の両端の係合部５３ｃ，５４ｃは両方とも同一形状のものでも良いし、上記に示されるいくつかの係合部の形状や回転工具に係合可能なその他の係合部の形状から任意なものを組み合わせることもできる。
【符号の説明】
【００７４】
１０…開口、１５…開口下地、２０…横建具枠、２１ａ…重ね代部、２１ｂ…貫通孔、２１ｃ…雌ねじ部、４０…留付け具、５０，５０Ａ、５０Ｂ，５０Ｃ，５０Ｄ…建具枠調整部材、５１…筒状部、５２…台座部、５３、５３ｂ，５３ｃ…位置調整時係合部、５４、５４ａ、５４ｂ，５４ｃ…螺入時係合部、５５…雄ねじ部、５７…凹溝、６０…間隔保持部材、７０…六角レンチ（締め込み工具）、７１，７２…締め込み工具。
【図１】
2012057293.tif 000003
【図２】
2012057293.tif 000004
【図３】
2012057293.tif 000005
【図４】
2012057293.tif 000006
【図５】
2012057293.tif 000007
【図６】
2012057293.tif 000008
【図７】
2012057293.tif 000009
【図８】
2012057293.tif 000010